(57)【要約】      （修正有）【課題】所望の情報を簡易的に所望の領域に表示させて容易に視認することができる表示装置及び情報表示方法、情報表示プログラムを提供する。【解決手段】帯状の湾曲した表示領域を有する表示パネル１６を備えた表示装置１００において、表示装置をユーザが装着した状態で、センサ部により検出された重力方向ベクトルＧのＸ平面成分のベクトルＧｘを基準にして、予めユーザ目視方向設定処理により算出されて記憶された角度θに基づいて、ユーザ目視方向が一定の方向に保持される。これにより、表示装置の傾きや向きが変化した場合であっても、所望の情報がユーザ目視方向を向いている特定の表示領域１１０ｐに表示される。【選択図】図７
2016142888.tif 000002
【特許請求の範囲】
【請求項１】
表示装置において、
第１の方向に延在する表示可能領域を有する表示部と、
前記表示装置の傾斜状態に応じて、前記表示可能領域内に情報を表示する表示領域の位置を調整し、調整された位置で前記表示領域が前記情報を表示することを制御する表示制御部と、
を備えることを特徴とする表示装置。
【請求項２】
ユーザ目視方向設定モードにおける、前記表示可能領域内に情報を表示する表示領域の位置及び前記表示装置の傾斜状態から、前記表示領域をユーザが目視している方向としてのユーザ目視方向を規定するパラメータを算出するパラメータ算出部と、
をさらに備え、
前記表示制御部は、通常モードにおける前記表示装置の傾き状態及び前記パラメータ算出部によって算出されたパラメータに基づいて、前記表示領域設定部において設定された前記表示領域の位置を調整して、調整された位置で前記表示領域が前記情報を表示することを制御することを特徴とする請求項１記載の表示装置。
【請求項３】
前記表示制御部は、前記情報を前記表示領域に表示するとともに、前記表示領域とは異なる位置の前記表示可能領域内の領域に前記情報とは異なる他の情報を表示し、ユーザの指示に従って前記他の情報を、前記異なる領域から前記表示領域の位置に移動させて表示することを特徴とする請求項１又は２に記載の表示装置。
【請求項４】
少なくとも重力方向を検出するセンサ部をさらに備え、
前記センサ部は、前記ユーザの動作状態を検出するモーションセンサを有し、
前記表示制御部は、前記モーションセンサにより検出された前記ユーザの動作状態に基づいて、前記表示領域への前記情報の表示、非表示を制御することを特徴とする請求項１乃至３のいずれかに記載の表示装置。
【請求項５】
前記パラメータ算出部は、前記表示可能領域の前記第１の方向に直交する第２の方向の中心を通る特定の平面に、前記重力方向のベクトルを投影して得られる投影成分のベクトルを基準にして、前記特定の平面上の前記ユーザ目視方向を規定する前記パラメータを算出することを特徴とする請求項２乃至４のいずれかに記載の表示装置。
【請求項６】
第１の方向に延在する表示可能領域を有する表示部を備えた表示装置の傾斜状態に応じて、前記表示可能領域内に情報を表示する表示領域の位置を調整し、調整された位置で前記表示領域が前記情報を表示することを制御することを特徴とする情報表示方法。
【請求項７】
第１の方向に延在する表示可能領域を有する表示部を備えた表示装置の傾斜状態に応じて、前記表示可能領域内に情報を表示する表示領域の位置を調整し、調整された位置で前記表示領域が前記情報を表示することを制御することをコンピュータに実行させることを特徴とする情報表示プログラム。
【発明の詳細な説明】
【技術分野】
【０００１】
本発明は、人体に装着して使用する、いわゆるウェアラブル端末に適用することができる表示装置及び情報表示方法、情報表示プログラムに関する。
【背景技術】
【０００２】
近年、人体に装着して運動時や日常生活における各種の生体情報や物理情報を取得したり、有益な情報を提供したりすることができるウェアラブル端末の開発や製品化が盛んに行われている。例えば特許文献１には、腕時計型の外観を有し、利用者の手首に装着して心拍数や移動速度を検出し、それに基づく各種の情報を通知手段や表示部を介して通知する有酸素運動維持装置が開示されている。
【０００３】
このようなウェアラブル端末は、手首や腕等の人体の部位に直接装着して使用されるため、薄型軽量であって、かつ、装着する部位に応じた曲率を有する形状を備えていることが市場や利用者から求められている。また、近年の健康ブームやスポーツブームにおいては、ウェアラブル端末をはじめ、スポーツウェアやグッズ、トレーニングマシン等に対するデザイン性や機能性の高さも求められるようになってきている。例えば特許文献２には、薄型でスタイリッシュなリストバンド型の外観を有し、装着する手首や腕の形状に応じて湾曲して設けられた表示パネルを介して時刻や計時情報等の各種の情報を提供する携帯機器が開示されている。
【先行技術文献】
【特許文献】
【０００４】
【特許文献１】特開２００７−０７５２０１号公報
【特許文献２】特開２００７−０７８６７０号公報
【発明の概要】
【発明が解決しようとする課題】
【０００５】
上述したようなリストバンド型のウェアラブル端末においては、表示パネルの表示領域や面積が広い場合には多くの情報を表示することができるが、表示パネルが湾曲して設けられているため、表示領域全体を一方向から一度に見ることができない。表示パネルに表示された情報の中からユーザ（利用者）が所望の情報を確実に見るためには、ユーザが視線を動かすだけではなく、例えばウェアラブル端末を装着した手首や腕を回して表示パネルの向きを変えたり、首をかしげるように動かしたりする等の特殊な動作を必要とし、ユーザにとって非常に煩わしく不便を感じるという問題を有している。
【０００６】
そこで、本発明の目的は、上述した問題点に鑑み、湾曲した形状を有する表示パネルに表示された情報を、ユーザが特殊な動作を抑制しながら簡易かつ確実に視認することができる表示装置及び情報表示方法、情報表示プログラムを提供することを目的とする。
【課題を解決するための手段】
【０００７】
本発明は、
表示装置において、
第１の方向に延在する表示可能領域を有する表示部と、
前記表示装置の傾斜状態に応じて、前記表示可能領域内に情報を表示する表示領域の位置を調整し、調整された位置で前記表示領域が前記情報を表示することを制御する表示制御部と、
を備えることを特徴とする。
【０００８】
本発明に係る情報表示方法は、
第１の方向に延在する表示可能領域を有する表示部を備えた表示装置の傾斜状態に応じて、前記表示可能領域内に情報を表示する表示領域の位置を調整し、調整された位置で前記表示領域が前記情報を表示することを制御することを特徴とする。
【０００９】
本発明に係る情報表示プログラムは、
第１の方向に延在する表示可能領域を有する表示部を備えた表示装置の傾斜状態に応じて、前記表示可能領域内に情報を表示する表示領域の位置を調整し、調整された位置で前記表示領域が前記情報を表示することを制御することをコンピュータに実行させることを特徴とする。
【発明の効果】
【００１０】
本発明によれば、所望の情報を簡易的に所望の領域に表示させて、ユーザが容易に視認することができる。
【図面の簡単な説明】
【００１１】
【図１】本発明に係る表示装置の第１の実施形態を示す概略構成図である。
【図２】第１の実施形態に係る表示装置の、人体への装着例を示す概略図である。
【図３】第１の実施形態に係る表示装置における機能構成を示す概略ブロック図である。
【図４】第１の実施形態に係る表示装置における組み付け構造（内部構造）の一例を示す分解斜視図である。
【図５】第１の実施形態に係る表示装置における要部断面図である。
【図６】第１の実施形態に係る表示装置における情報表示方法に適用されるユーザ目視方向設定処理の一例を示すフローチャートである。
【図７】第１の実施形態に係るユーザ目視方向設定処理に適用する表示装置の座標系を説明するための概略図である。
【図８】第１の実施形態に係るユーザ目視方向設定処理に適用する表示装置の傾きとユーザ目視方向との関係を説明するための概略図である。
【図９】第１の実施形態に係る表示装置における情報表示方法に適用される情報表示処理の一例を示すフローチャートである。
【図１０】第１の実施形態に係る情報表示処理により実現される情報表示の一例を示す斜視図である。
【図１１】第２の実施形態に係る表示装置における情報表示方法に適用される情報表示処理の一例を示すフローチャートである。
【発明を実施するための形態】
【００１２】
以下、本発明に係る表示装置及び情報表示方法、情報表示プログラムについて、実施形態を示して詳しく説明する。ここでは、本発明に係る表示装置として、人体の手首に装着するリストバンド型やブレスレット型の機器に適用した場合について説明する。
【００１３】
＜第１の実施形態＞
図１は、本発明に係る表示装置の第１の実施形態を示す概略構成図である。ここで、図１（ａ）は、本実施形態に係る表示装置の外観構成を示す概略斜視図であり、図１（ｂ）は、図１（ａ）に示した表示装置を図面左斜め前方向（矢印Ｄ１方向）から見た正面図であり、図１（ｃ）は、図１（ａ）に示した表示装置を図面右斜め前方向（矢印Ｄ２方向）から見た側面図である。また、図２は、本実施形態に係る表示装置の、人体への装着例を示す概略図である。図３は、本実施形態に係る表示装置における機能構成を示す概略ブロック図である。
【００１４】
（外観構成）
本発明の第１の実施形態に係る表示装置１００は、例えば図１（ａ）〜（ｃ）に示すように、大別して、湾曲形状を有する機器本体１０１と、機器本体１０１に対して回動可能に設けられた開閉部１０２と、を備えた外観形状を有している。
【００１５】
具体的には、機器本体１０１は、図１（ａ）〜（ｃ）に示すように、略帯状の部材が長手方向に所定の曲率を有して湾曲し、側面側から見て（図１（ｃ）に示したＤ２方向矢視）、略Ｕ字形状又は略Ｃ字形状に形成された構造を有している。機器本体１０１の長手方向の一方の端部（図１（ａ）、（ｃ）の上方側の端部）には回転軸を備えた回動部１０３が設けられている。
【００１６】
また、開閉部１０２は、図１（ａ）、（ｃ）に示すように、略帯状の部材を有し、一方の端部（図１（ａ）、（ｃ）の上方側の端部）が回動部１０３を介して、機器本体１０１に接続されて、回動部１０３の回転軸を支点（中心）にして機器本体１０１に対して回動する。これにより、開閉部１０２の他方の端部（図１（ａ）、（ｃ）の下方側の端部）が、機器本体１０１の他方の端部（図１（ａ）、（ｃ）の下方側の端部）に対して、近接又は密着する閉止状態（図２（ｂ）に実線で示す）と、所定の寸法以上離間する開放状態（図２（ｂ）に二点鎖線で示す）に変化するように設定されている。
【００１７】
（装着例）
このような表示装置１００において、図２（ｂ）に二点鎖線で示すように、回動部１０３の回転軸を支点にして、開閉部１０２を機器本体１０１に対して回動させて、機器本体１０１と開閉部１０２の他方の端部同士が離間した開放状態にする。これにより、機器本体１０１の湾曲形状の内方の装着空間１０１ｓが開放され、表示装置１００の手首ＵＳｈへの装着、又は、手首ＵＳｈからの離脱が可能な状態になる。そして、この開放状態において、機器本体１０１の装着空間１０１ｓに手首ＵＳｈを挿入し、図２（ｂ）に実線で示すように、開閉部１０２を機器本体１０１に対して回動させて、機器本体１０１と開閉部１０２の他方の端部同士が近接又は密着した閉止状態にする。ここで、開閉部１０２の回動動作は、回動部１０３に設けられた図示しない回動調整部材によって、予め設定された閉止状態となる位置でのみ回動が停止されるものであってもよいし、所定の角度ごとに段階的に回動が一時停止されるものであってもよいし、無段階に回動が一時停止されるものであってもよい。
【００１８】
これにより、機器本体１０１の装着空間１０１ｓが図１（ｃ）に示したように円環状に確定されて、図２（ａ）、（ｂ）に示すように、機器本体１０１及び開閉部１０２の内面側（装着空間１０１ｓ側の面）が手首ＵＳｈに接触又は密着して、表示装置１００が手首ＵＳｈに装着される。なお、図示を省略したが、表示装置１００は、図２（ｂ）に実線で示した閉止状態において、近接又は密着した機器本体１０１と開閉部１０２の他方の端部同士を、相互に接続するロック、アンロック機構を備えているものであってもよい。これにより、表示装置１００を装着しロックすれば、表示装置１００の使用中に、機器本体１０１と開閉部１０２の他方の端部同士が離間して手首ＵＳｈから脱落する事故を確実に防止することができる。
【００１９】
（機能構成）
本実施形態に係る表示装置１００は、例えば図３に示すように、大別して、表示部１１０と、操作部（表示領域設定部）１２０と、センサ部（モーションセンサ）１３０と、通信部１４０と、ＣＰＵ等の演算回路である制御部（パラメータ算出部、表示制御部）１５０と、記憶部１６０と、電源部１７０と、を有している。本実施形態においては、これらの構成が上述した機器本体１０１に内蔵されている。なお、機器本体１０１の内部構造（組み付け構造）の一例については後述する。
【００２０】
表示部１１０は、例えば図１、図２に示すように、上述した湾曲形状を有する機器本体１０１の長手方向に沿って、外面側の略中央領域に帯状に延在するように設けられている。表示部１１０は、機器本体１０１の外面側に、例えば現在時刻やユーザの動作中や運動中に取得した生体情報や運動情報等の、各種の情報を表示する。特に、本実施形態においては、ユーザに装着された表示装置１００の向きや傾きに関わらず、表示部１１０の表示画面のうち、ユーザが目視している方向であるユーザ目視方向を向いている表示領域１１０ｐに、ユーザが所望する情報が表示されるように設定されている。このような表示部１１０は、液晶方式や、有機ＥＬ等の発光素子方式、電子ペーパー方式等の各種の表示パネルを適用することができる。また、表示部１１０により表示される各種の情報は、カラー表示されるものであってもよいし、モノクロ表示されるものであってもよい。また、表示部１１０により表示される各種の情報は、文字情報や静止画像に限らず、動画像であってもよい。
【００２１】
操作部１２０は、少なくとも上述した表示部１１０の表示領域の全域に対応して視野側（前面側）に設けられたタッチパネルといったソフトウェアキーを有している。操作部１２０は、ユーザが所望する情報を設定したり、当該情報を表示部１１０のユーザの両眼の位置を向いている表示領域１１０ｐに表示されるように設定したりする操作に用いられる。なお、ユーザが所望する情報を、表示部１１０のユーザの眼の位置を向いている表示領域１１０ｐに表示するための操作の具体例については後述する。また、操作部１２０は、機器本体１０１や開閉部１０２の外面に設けられた操作ボタン（押しボタンやスライドボタン、タッチセンサ等）等のハードウェアキーを有しているものであってもよく、ソフトウェアキー及びハードウェアキーの両方を備えていてもよい。これらのタッチパネルや操作ボタン等は、例えば表示装置１００を起動するための電源操作や、表示装置１００における他の動作（例えばセンサ部１３０や通信部１４０における動作等）を設定するための操作にも用いられる。
【００２２】
センサ部１３０は、少なくともユーザの動作中や運動中の加速度や角速度、地磁気、重力等の物理情報を、互いに直交する３軸方向の検出信号として出力するセンサを有している。また、センサ部１３０は、ユーザの動作中や運動中の脈拍や体温、血圧等の生体情報、気圧や気温、湿度等の環境情報を取得するセンサを有しているものであってもよい。センサ部１３０により取得された物理情報や生体情報等の検出信号は、後述する記憶部１６０の所定の記憶領域にセンサデータとして保存される。
【００２３】
通信部１４０は、表示装置１００の外部の機器（例えばスマートフォンやタブレット、パーソナルコンピュータ等）やネットワークとの間で、取得したセンサデータや各種信号の送受信を行うインターフェースとして機能する。ここで、通信部１４０を介して、表示装置１００と外部の機器等との間で、センサデータ等を送受信する手法としては、各種の無線通信方式や有線通信方式が適用される。特に、無線通信方式を適用する場合には、通信部１４０は、例えばデジタル機器用の近距離無線通信規格であるブルートゥース（Bluetooth（登録商標））や、低消費電力型の通信規格として策定されたブルートゥースローエナジー（Bluetooth（登録商標） low energy（LE））、ＮＦＣ（Near field communication）、ワイファイ（Wi-Fi；wireless fidelity（登録商標））等の通信方式を良好に適用することができる。
【００２４】
制御部１５０は、所定のプログラムを実行することにより、表示部１１０における情報の表示動作や、操作部１２０における情報の選択動作や表示位置の設定動作、センサ部１３０におけるセンシング動作、通信部１４０におけるセンサデータ等の送受信動作、記憶部１６０への書込み読出し動作、電源部１７０における電源供給動作等の、各種の動作を制御する。なお、表示部１１０における表示動作や、操作部１２０における情報の選択動作や表示位置の設定動作の具体例については後述する。
【００２５】
記憶部１６０は、センサ部１３０により取得されたセンサデータや、表示部１１０に表示される各種の情報、表示部１１０に情報を表示する際に、ユーザ目視方向を規定するためのパラメータ（後述する角θの角度）を保存する。また、記憶部１６０は、制御部１５０により制御される、上記の各種の動作を実行する際に使用又は生成されるデータや情報を保存する。なお、記憶部１６０は、制御部１５０で実行されるプログラムを格納するものであってもよい。また、記憶部１６０は、例えばメモリカード等のリムーバブル記憶媒体としての形態を有し、表示装置１００に対して着脱可能に設定されているものであってもよい。
【００２６】
電源部１７０は、上述した湾曲形状を有する機器本体１０１の長手方向に沿って帯状に延在する、薄型で湾曲した電池を有し、当該電池から出力される駆動電力を、表示装置１００の各構成に供給する。ここで、本実施形態に適用される電池としては、例えばリチウムイオン電池やニッケル水素電池等の、繰り返し充放電が可能な二次電池が適用される。この場合、電源部１７０は、電池から各構成への駆動電力の供給動作に加え、電池への充電動作を行う。なお、電源部１７０は、上記の二次電池に加え、市販のボタン型電池等の一次電池や、振動や光、熱、電磁波等のエネルギーにより発電する環境発電（エナジーハーベスト）技術による電源等を併用する構造を有するものであってもよい。
【００２７】
なお、図示を省略したが、本実施形態に係る表示装置１００は、図３に示した構成の他に、表示部１１０に表示される情報や表示装置１００の動作状態等を報知するための音響部（例えばスピーカやブザー等）や振動部（例えばバイブレータ等）を備えているものであってもよい。これにより、表示部１１０の表示や表示装置１００の動作状態（特に、異常状態）等に対応して、各種の音声やブザー音、振動を発生させてユーザに報知することができる。
【００２８】
（組み付け構造、組み付け方法）
図４は、本実施形態に係る表示装置における組み付け構造（内部構造）の一例を示す分解斜視図である。また、図５は、本実施形態に係る表示装置における要部断面図である。ここで、図５は、図１（ｂ）に示した表示装置におけるＶ−Ｖ線（本明細書においては図１中に示したローマ数字の「５」に対応する記号として便宜的に「Ｖ」を用いる。）に沿った断面構造を示す概略図である。
【００２９】
図１に示した外観形状を有する機器本体１０１は、例えば図４、図５に示すように、大別して、本体ケース１１と、フレーム１２と、電池１３（図３に示した電源部１７０に対応する）と、回路基板１４と、外装カバー１５と、情報を表示できる領域としての表示可能領域が一面に設けられた表示パネル１６（図３に示した表示部１１０に対応する）と、を有している。そして、機器本体１０１は、本体ケース１１と外装カバー１５により形成される収納空間１１ｓに、フレーム１２や電池１３、回路基板１４、表示パネル１６を収納している。
【００３０】
本体ケース１１は、例えば図４に示すように、略帯状の絶縁性の部材により形成され、帯状の長手方向に所定の曲率で湾曲した湾曲形状を有している。また、本体ケース１１は、少なくとも帯状の部材の長手方向に沿って、その両辺部が外方（図４の外装カバー１５方向）に屈曲又は突出した形状を有し、これにより図４、図５に示すように、凹状の収納空間１１ｓを備えた断面を有している。また、本体ケース１１は、少なくとも帯状の部材の長手方向の一方の端部（図４の上方側の端部）に、開閉部１０２側に設けられた回動部１０３に接続するための取り付け穴Ｈ１１が複数設けられている。なお、本体ケース１１は、少なくとも本体ケース１１に後述するフレーム１２や外装カバー１５が組み付けられた表示装置１００を、ユーザが手首に装着して使用した際に、ある程度の変形を許容しつつ、収納空間１１ｓの形状が保持できる程度の剛性や強度を備えるとともに、人体（肌）に接触しても違和感を持たない程度の質感を有していることが好ましい。
【００３１】
フレーム１２は、例えば図４に示すように、帯状の平面形状を有する金属の薄板により形成され、本体ケース１１が有する所定の曲率に対応した湾曲形状を有している。又は、フレーム１２は、上記の所定の曲率に対応して湾曲する可撓性や変形性を有する程度の適度な剛性を有しており、外部からの一時的な小さい力によって機器本体１０１が撓みすぎたり、変形しすぎたりしないよう設定されている。また、フレーム１２は、例えば図４に示すように、帯状の薄板の長手方向の両端部１２ｂ、１２ｂ間に位置する中間部分の幅方向の両辺となる両辺部１２ｃ、１２ｃが幅方向に所定寸法だけ内側に位置するように欠落されることによって幅方向の寸法が両端部１２ｂ、１２ｂよりも短く形成された中間フレーム部１２ａが設けられている。
【００３２】
また、フレーム１２は、少なくとも帯状の薄板の長手方向の一方の端部１２ｂ（図４の上方側の端部）に、本体ケース１１の収納空間１１ｓ内に組み付け固定するための取り付け穴Ｈ１２が複数設けられている。また、少なくともフレーム１２の長手方向の一方の端部１２ｂには、後述する回路基板１４との組み付け位置を確定するための基板固定ピンＰ１２が設けられている。ここで、フレーム１２は、例えば鉄やステンレス、アルミニウム合金等の金属材料が適用されるが、本発明はこれに限定されるものではなく、同等の強度を有する非金属の材料や構造を適用するものであってもよい。
【００３３】
電池１３は、例えば図４に示すように、樹脂フィルムによるラミネートパッケージや薄型の金属パッケージ等を有する電池が帯状に形成され、上記のフレーム１２の一面側（本体ケース１１側）の面に一体的に固定されて、フレーム１２の形状に対応した湾曲形状を有している。又は、電池１３は、フレーム１２の形状に対応して湾曲する可撓性や変形性を有している。ここで、電池１３は、例えばフレーム１２の略全域に対応した寸法の帯状の平面形状を有し、図４に示すように、フレーム１２の一面側の略全域に取り付けられている。これにより、図１（ａ）に示した矢印Ｄ１方向からの視点において、機器本体１０１の内部において、フレーム１２の中間フレーム部１２ａの両辺部１２ｃ、１２ｃの外側では電池１３が露出している。なお、図示を省略したが、このような電池１３の出力端子は、例えばフレーム１２の長手方向の両端部１２ｂ、１２ｂに対応する領域において、後述する回路基板１４や表示パネル１６に電気的に接続されている。
【００３４】
回路基板１４は、上述した機能構成において説明したセンサ部１３０や通信部１４０、制御部１５０、記憶部１６０等が搭載される機能部品搭載部と、信号配線やアンテナ配線等の配線パターンのみが形成されるパターン形成部と、を有している。回路基板１４は、例えば図４に示すように、上記のフレーム１２及び電池１３の略全域に対応した寸法の帯状の平面形状を有する絶縁性基板により形成され、帯状の長手方向の両端部には機能部品搭載部が設けられ、また、長手方向の両端部１４ｂ、１４ｂ間に位置する中間部分にはパターン形成部１４ａ、１４ａが設けられている。回路基板１４は、フレキシブルプリント基板（ＦＰＣ）のような薄膜状又はフィルム状の薄型の絶縁性基板により形成され、パターン形成部１４ａ、１４ａ及び両端部１４ｂ、１４ｂには、絶縁性基板上に配線が形成されている。回路基板１４は、例えば図４に示すように、上記の所定の曲率に対応した湾曲形状を有している、又は、上記の所定の曲率に対応して湾曲する可撓性や変形性を有しているため、パターン形成部１４ａ、１４ａは、フレーム１２の湾曲に合わせて湾曲することができる。
【００３５】
また、パターン形成部１４ａ、１４ａが設けられる回路基板１４は、図４に示すように、帯状の長手方向の両端部１４ｂ、１４ｂを除く中間部分に、略中央部が幅方向に所定寸法だけ欠落され且つ長手方向に延在する開口部１４ｈが設けられている。すなわち、回路基板１４は、長手方向の両端部１４ｂ、１４ｂ及び、両端部１４ｂ、１４ｂに連結され且つそれぞれの幅方向の長さが端部１４ｂより短い２本のパターン形成部１４ａ、１４ａによって開口部１４ｈが規定されている。ここで、回路基板１４に設けられる開口部１４ｈの幅寸法は、上記のフレーム１２に設けられる中間フレーム部１２ａの幅寸法よりも大きくなるように設定されている。これにより、本体ケース１１に、フレーム１２や電池１３、回路基板１４からなるユニットが略密着して組み付けられた状態で、図５に示すように、回路基板１４の開口部１４ｈを形成するパターン形成部１４ａ、１４ａ間に、フレーム１２の中間フレーム部１２ａが位置している。すなわち、フレーム１２の中間フレーム部１２ａと回路基板１４のパターン形成部１４ａとは、フレーム１２と回路基板１４との積層方向（図４の左斜め前方向、又は、図５の下方）から見て平面的に相互に重ならないように設定されている。したがって、仮に機器本体１０１を撓ませたり、変形させても回路基板１４のパターン形成部１４ａは、フレーム１２の中間フレーム部１２ａと接触することがないように設定されている。また、電池１３が経時的に膨張してフレーム１２の中間フレーム部１２ａを回路基板１４側に押しつけても、フレーム１２の中間フレーム部１２ａは開口部１４ｈ内の収納空間１１ｓにあるので、パターン形成部１４ａがフレーム１２の中間フレーム部１２ａと接触することがない。
【００３６】
また、少なくとも回路基板１４の長手方向の一方の端部（図４の上方側の端部）には、上記フレーム１２との組み付け位置を確定するための位置決め穴Ｈ１４が設けられている。なお、パターン形成部が設けられる回路基板１４のパターン形成部１４ａには、例えばセンサ部１３０から出力される検出信号を制御部１５０に送信するためのセンサ信号線や、電源部１７０から供給される駆動電力を各構成に供給するための電源線、通信部１４０に適用される無線通信方式に対応したアンテナ配線等の配線パターンが形成される。ここで、開口部１４ｈを形成する２本のパターン形成部１４ａ、１４ａのうちの一方にセンサ信号線を形成し、他方に電源線を形成して、両者を開口部１４ｈにより隔離することにより、電源線において発生する電界の影響を抑制して、センサ部１３０から出力される微弱な検出信号を制御部１５０に良好に送信することができる。また、回路基板１４は、上記の機能部品や配線パターンが絶縁性基板の一面側にのみ搭載又は形成されているものであってもよいし、裏表両面側に搭載又は形成されているものであってもよい。ここで、回路基板１４に搭載又は形成される機能部品や配線パターンは、周知の絶縁保護膜により被覆されて保護されている。
【００３７】
外装カバー１５は、例えば図４に示すように、帯状の平面形状を有する絶縁性の薄板により形成され、上記の本体ケース１１の所定の曲率に対応した湾曲形状を有している。又は、外装カバー１５は、本体ケース１１の所定の曲率に対応して湾曲する可撓性や変形性を有している。また、外装カバー１５は、図５に示すように、上記の本体ケース１１に設けられた収納空間１１ｓの開放端側（図面下方側）を閉止して密閉するように組み付けられる。ここで、外装カバー１５は、少なくとも表示装置１００の外部からの圧力（外圧）や周辺環境（温度や湿度、薬品等）に対して、収納空間１１ｓに収納される各構成を保護することができる特性（剛性や耐熱性、耐湿性、耐薬品性等）を有している。また、本実施形態においては、外装カバー１５は、例えば透明な樹脂材料やガラス材料により形成されている。
【００３８】
外装カバー１５の一面側（収納空間１１ｓ側）の面には、表示部１１０として機能する表示パネル１６が一体的に設けられている。また、外装カバー１５には、操作部１２０として機能するタッチパネル（図示を省略）が一体的に設けられている。これにより、表示パネル１６の表示可能領域に表示された情報が、透明な外装カバー１５を介して視野側に透過されて、ユーザに視認されるとともに、当該情報に基づいてユーザがタッチパネルを操作して各種の設定を行うことができる。また、外装カバー１５は、帯状の薄板の長手方向の両端部（図４の上方側及び下方側の端部）に、本体ケース１１の収納空間１１ｓを閉止するための取り付け穴Ｈ１５が複数設けられている。
【００３９】
表示パネル１６は、例えば図４に示すように、情報を表示できる表示可能領域が帯状の平面形状となる薄型の表示デバイスを有し、上記の外装カバー１５の一面側（収納空間１１ｓ側）の面に一体的に設けられ、外装カバー１５の形状に対応した湾曲形状を有している。又は、表示パネル１６は、外装カバー１５の形状に対応して湾曲する可撓性や変形性を有している。表示パネル１６は、可撓性のフィルム樹脂基板間に液晶が封入された液晶表示パネルや、可撓性のフィルム樹脂基板に有機ＥＬ層が設けられた有機ＥＬ表示パネルや、可撓性のフィルム樹脂基板間に色粒子が封入された電子ペーパー表示パネルのように、撓んだり、変形したりしても表示を維持することが可能である。
【００４０】
また、表示パネル１６は、帯状の長手方向（第１の方向）に延在するように表示領域を有し、当該表示領域の全域又は任意の領域に、各種の情報が文字や画像による静止情報や、動画情報により表示される。表示パネル１６に表示される情報は、透明な外装カバー１５を介してユーザの視野側に透過されて視認される。また、表示パネル１６の視野側には、表示領域の全域に対応するように、例えば外装カバー１５に一体的にタッチパネルが設けられている。なお、図示を省略したが、例えば表示パネル１６又は外装カバー１５の長手方向の一方の端部には、表示パネル１６を駆動するためのドライバＩＣが設けられ、その近傍において回路基板１４や電池１３に電気的に接続される。
【００４１】
また、開閉部１０２は、例えば図４に示すように、略帯状の部材の長手方向の一方の端部（図４の上方側の端部）に、回動部１０３が設けられた構造となっている。回動部１０３は、回転軸を備え、回転軸を支点にして開閉部１０２が回動するように設定されている。また、回動部１０３は、少なくとも機器本体１０１と接続するための取り付け穴Ｈ１３が複数設けられている。
【００４２】
このような表示装置の組み付け方法は、図４及び図５に示すように、まず、回動部１０３に設けられた取り付け穴Ｈ１３と、本体ケース１１に設けられた取り付け穴Ｈ１１と、フレーム１２に設けられた取り付け穴Ｈ１２との各位置を整合させて、本体ケース１１及び回動部１０３の内方側（装着空間１０１ｓ側）から雄ネジＢ１１を挿通させて、ホルダーＰ１１に設けられた雌ネジにネジ止めして固定する。これにより、本体ケース１１の収納空間１１ｓに、フレーム１２、及び、フレーム１２に一体的に設けられた電池１３が、湾曲した状態で組み付けられる。
【００４３】
次いで、回路基板１４に設けられた位置決め穴Ｈ１４に、フレーム１２に設けられた基板固定ピンＰ１２を嵌合させて、フレーム１２に対する回路基板１４の組み付け位置を確定する。そして、フレーム１２と回路基板１４の長手方向の端部同士を、例えば接着剤や両面接着テープ等により接着して固定する。これにより、本体ケース１１の収納空間１１ｓに、各種の機能部品が搭載された回路基板１４が、フレーム１２に略密着して湾曲した状態で組み付けられる。また、このとき、フレーム１２と回路基板１４の長手方向の端部に対応する領域において、電池１３と回路基板１４が電気的に接続される。なお、フレーム１２と回路基板１４とを位置決めして固定する手法としては、上記の接着剤や両面接着テープの他に、ネジ固定や樹脂による溶着やホットメルト等を適用することができる。
【００４４】
次いで、本体ケース１１の収納空間１１ｓを閉止するように、表示パネル１６が一体的に設けられた外装カバー１５を配置し、外装カバー１５に設けられた取り付け穴Ｈ１５に外方側から雄ネジＢ１２を挿通させて、ホルダーＰ１１に設けられた雌ネジにネジ止めして固定する。これにより、フレーム１２と、電池１３と、回路基板１４とが組み付けられ、さらに表示パネル１６が収納された本体ケース１１の収納空間１１ｓが密閉される。また、このとき、外装カバー１５と回路基板１４の長手方向の端部に対応する領域において、外装カバー１５側に設けられた表示パネル１６を駆動するためのドライバＩＣと、回路基板１４や電池１３とが、フラットケーブルやバネ性の電極端子等を介して電気的に接続される。
【００４５】
そして、ホルダーＰ１１を介して外装カバー１５を本体ケース１１にネジ止め固定した雄ネジＢ１２及び取り付け穴Ｈ１５の周辺を覆うようにカバー部品Ｃ１１を取り付ける。これにより、密閉された本体ケース１１の収納空間１１ｓへの水分等の侵入を防止するとともに、表示装置１００のデザイン性が高まる。なお、図４においては、図示の都合上、回動部１０３が接続される機器本体１０１の一方の端部（図４の上方側の端部）について詳しく説明したが、他方の端部（図４の下方側の端部）についても同様にして組み付けを行って、フレーム１２及び回路基板１４、外装カバー１５の両端部において本体ケース１１に固定するものであってもよい。また、図４において、Ｃ１２は、外装カバー１５の他方の端部を、本体ケース１１に固定する雄ネジ（図示を省略）周辺を覆うカバー部品であり、Ｃ１３は、本体ケース１１の他方の端部に取り付けられる、その他のカバー部品である。
【００４６】
このような組み付け構造を有する表示装置によれば、フレーム１２により電池１３及び回路基板の配置領域が確定（位置決め）されるとともに、フレーム１２を挟むように両面側に、電池１３や回路基板１４が積層されて固定される。さらに、フレーム１２及び回路基板１４の両端部を除く中間部分に形成された中間フレーム部１２ａ及びパターン形成部１４ａ、１４ａが、フレーム１２と回路基板１４との積層方向から見て、平面的に重ならないように配置されるとともに、回路基板１４のパターン形成部１４ａ、１４ａが電池１３に接触しないように所定の隙間１１ｃが形成される。これにより、薄型で所定の曲率の湾曲形状を有する表示装置において、機器に内蔵される薄型の電池１３や回路基板１４等、さらには、機器本体１０１の剛性や強度をある程度確保して、表示装置の製造時や使用時に加わる外圧により生じる撓みや変形を抑制することができる。加えて、部品や部材の製造ばらつきや組み付け時の作業ばらつき、また、表示装置の製造時や使用時に加わる外圧により撓みや変形が生じた場合であっても、上記の中間フレーム部１２ａ及びパターン形成部１４ａの配置や隙間１１ｃにより吸収されて、部品や部材の破損や剥離等を防止することができ、良好な製品品質を実現することができる。
【００４７】
なお、上述した実施形態においては、機器本体１０１の構造として、中間フレーム部１２ａを有するフレーム１２や、電池１３、開口部１４ｈを有する回路基板１４を積層して、本体ケース１１に組み付けた例を示したが、本発明はこれに限定されるものではない。すなわち、本発明は、部品や部材の製造ばらつきや組み付け時の作業ばらつき、表示装置の製造時や使用時に生じる撓みや変形により、フレーム１２と回路基板１４とが接触して破損しないように本体ケース１１に組み付けられているものであればよい。したがって、表示装置は、上述した組み付け構造や組み付け方法以外の構造や方法を有しているものであってもよい。例えば表示装置は、フレーム１２や回路基板１４が中間フレーム部１２ａや開口部１４ｈを有していない、単純な帯状の平面形状を有しているものであってもよいし、ネジ固定以外の手法で、本体ケース１１にフレーム１２や回路基板１４、外装カバー１５を固定するものであってもよい。
【００４８】
（情報表示方法）
次に、本実施形態に係る表示装置における情報表示方法について、図面を参照して説明する。
【００４９】
図６は、本実施形態に係る表示装置における情報表示方法に適用されるユーザ目視方向設定処理の一例を示すフローチャートであり、図７は、本実施形態に係るユーザ目視方向設定処理に適用する表示装置の座標系を説明するための概略図である。図８は、本実施形態に係るユーザ目視方向設定処理に適用する表示装置の傾きとユーザ目視方向との関係を説明するための概略図である。また、図９は、本実施形態に係る表示装置における情報表示方法に適用される情報表示処理の一例を示すフローチャートであり、図１０は、本実施形態に係る情報表示処理により実現される情報表示の一例を示す斜視図である。
【００５０】
本実施形態に係る表示装置においては、大別して、ユーザ目視方向設定処理と、表示情報設定処理と、情報表示処理と、が実行される。これらの各動作処理は、表示装置１００の制御部１５０において、所定のプログラムを実行することにより実現されるものである。ここで、本実施形態においては、情報表示処理を実行する動作状態を通常モードとして、以下の情報表示方法を説明する。
【００５１】
表示装置１００における情報表示方法に適用されるユーザ目視方向設定処理は、まず、図６に示すように、ユーザが表示装置１００を身体に装着して、表示装置１００を起動させる（ステップＳ１０２）。具体的には、図２（ｂ）に示したように、表示装置１００の機器本体１０１に対して開閉部１０２を回動させて、装着空間１０１ｓを開放、閉止することにより、表示装置１００を手首ＵＳｈに装着する。そして、ユーザが機器本体１０１の操作部１２０に設けられた電源スイッチ（図示を省略）をオン操作することにより、電源部１７０から各構成に駆動電力が供給されて、表示装置１００が通常モードで起動する。
【００５２】
表示装置１００は、スリープモードにおいて、センサ部１３０のみ機能するように、制御部１５０の一部やセンサ部１３０に電力を供給する電源部１７０及びセンサ部１３０を常時駆動させることによって、電源部１７０が制御部１５０の一部やセンサ部１３０以外に電力を供給しない状態に設定されていてもよい。この場合、ユーザの装着によって取得される脈拍等の生体情報に基づいてセンサ部１３０が制御部１５０に起動信号を出力することで制御部１５０全体が起動する。全体が起動した制御部１５０は、表示部１１０や操作部１２０等が機能するように制御信号を出力して、表示装置１００がスリープモードから通常モードに移行することになる。
【００５３】
次いで、ユーザが表示装置１００の動作状態を、ユーザ目視方向設定モードに設定する（ステップＳ１０４）。具体的には、ユーザは例えば表示装置１００の機器本体１０１に設けられたタッチパネルや押しボタン等の操作部１２０を操作して、制御部１５０が通常モードから、ユーザ目視方向を設定するユーザ目視方向設定モードに変更する。なお、ユーザが表示装置１００を装着した腕を所定のフォームで動かすことによってセンサ部１３０が検知した物理情報に基づいて制御部１５０が通常モードからユーザ目視方向設定モードに変更してもよい。
【００５４】
表示装置１００がユーザ目視方向設定モードに設定されると、制御部１５０は、センサ部１３０をセンシング動作させることにより、所定のセンサデータを取得し（ステップＳ１０６）、当該センサデータに基づいて、表示装置１００の傾き（又は向き）を検出する（ステップＳ１０８）。
【００５５】
具体的には、制御部１５０は、センサ部１３０に設けられた加速度センサにより３軸方向の加速度データを取得する。ここで、加速度センサにより取得される加速度データは、表示装置１００に予め設定された３次元座標系Ｓ１のＸ、Ｙ、Ｚの各軸方向の加速度成分として検出される。本実施形態においては、３次元座標系Ｓ１は、例えば図１（ｂ）、（ｃ）、図７に示すように、所定の曲率を有して湾曲して延在する機器本体１０１、又は、外装カバー１５及び表示部１１０の表示パネル１６の幅方向（短手方向；第２の方向）の中心線Ｌｃを通る平面をＸ平面とする。そして、表示装置１００を装着したユーザの手首ＵＳｈの延在方向の回転軸（後述するＸ軸に相当する）とＸ平面との交点となる位置に原点Ｐ０が設定される。又は、原点Ｐ０は、Ｘ平面上にあって、表示装置１００の機器本体１０１と開閉部１０２により形成される円環状の装着空間１０１ｓの略中心となる位置に設定される。そして、原点Ｐ０を通り、Ｘ平面に垂直な方向（手首ＵＳｈの延在方向に相当する）の軸をＸ軸と規定する。また、原点Ｐ０を通り、Ｘ軸に直交するとともに、相互に直交するＹ軸とＺ軸を設定し、原点Ｐ０を通り、Ｙ軸に垂直な平面をＹ平面と規定し、原点Ｐ０を通り、Ｚ軸に垂直な平面をＺ平面と規定する。
【００５６】
そして、制御部１５０は、上述した加速度センサにより取得された３軸方向の加速度データに基づいて、例えば図８に示すように、重力方向を示すベクトル（重力方向ベクトル）Ｇを検出し、上記の３次元座標系Ｓ１のＸ平面に当該重力方向ベクトルＧを投影して、Ｘ平面成分（投影成分）のベクトルＧｘを算出する。制御部１５０は、ベクトルＧｘに基づいて重力方向に対する表示装置１００の傾きを演算により検出する。このような表示装置１００の傾きを検出する動作は、加速度センサのサンプリング周波数に基づいてセンサデータが取得される度に時間的に連続して実行されるものであってもよいし、所定の周期（例えば０．１〜０．５秒）ごとに実行されるものであってもよい。
【００５７】
次いで、ユーザが表示部１１０として機能する帯状の長尺な表示パネル１６の表示可能領域内に、表示される情報を良好に視認することができるユーザ目視方向にあって、ユーザが所望する任意の表示領域１１０ｐの位置を設定する。制御部１５０は、ユーザが所望する表示領域１１０ｐの位置が設定されたか否かを判定する（ステップＳ１１０）。具体的には、ユーザが表示装置１００を装着した腕を、例えば胸の高さ程度にまで持ち上げた状態を保持し、ユーザが表示される情報を良好に視認することができる状態にする。この状態で、情報が表示される表示パネル１６の帯状の表示可能領域内で、表示パネル１６の良好に視認することができる位置に対応するタッチセンサを指先で直接タッチしたりタップしたりして、表示領域１１０ｐの位置を設定する。設定時における表示パネル１６の傾斜状態は、図８に示すように、原点Ｐ０とユーザが設定した表示領域１１０ｐの位置とを結ぶ線と、ベクトルＧｘとによってなす角θによって検知される。
【００５８】
制御部１５０は、原点Ｐ０とユーザが設定した表示領域１１０ｐの位置とを結ぶ線の延長線上に、ユーザの日常や運動時の動作の中で、手首に装着した表示装置１００に表示された情報を良好に視認しやすい姿勢にしたときの、ユーザの眼があると推定し、原点Ｐ０とユーザの表示領域１１０ｐに対する視点とを結ぶ方向を単一のユーザ目視方向として設定する。なお、このユーザ目視方向は、厳密にはユーザの両眼の間の位置を向いていると想定したもので、実際にユーザが目視したときの両眼からの複数の視線と逆向きの方向と一致している必要はない。ここで、ユーザ目視方向を設定する処理においては、制御部１５０は、例えば表示パネル１６の帯状の表示領域全域に所定の情報を表示させて、ユーザが表示パネル１６をタッチした位置をユーザが情報を最も視認しやすい表示領域１１０ｐの位置として設定してもよく、表示パネル１６に表示することなく、ユーザがタッチした位置をユーザが最も視認しやすい表示領域１１０ｐの位置として設定してもよい。或いは、制御部１５０は、表示パネル１６の表示領域の一部のみに所定の情報を表示させ且つその表示された情報の位置を時間経過に伴って表示パネル１６内で変えながら、ユーザがタッチした位置をユーザが最も視認しやすい表示領域１１０ｐの位置として設定してもよい。
【００５９】
ステップＳ１１０において、ユーザが視認している状態における表示領域１１０ｐの位置を設定していない場合には、制御部１５０は、ステップＳ１０６に戻って、センサデータを取得して表示装置１００の傾きを検出する動作を繰り返し実行する。一方、ユーザが視認している状態における表示領域１１０ｐの位置を設定したと判定した場合には、制御部１５０は、図８に示すように、原点Ｐ０と、ステップＳ１１０においてユーザにより指定された表示領域１１０ｐの中心と、を通る方向をユーザ目視方向Ｄｕと仮定する。そして、制御部１５０は、ステップＳ１０８において検出された重力方向ベクトルＧのＸ平面成分のベクトルＧｘを基準にして、当該ユーザ目視方向Ｄｕを規定するための角度θ（パラメータ）を算出して、記憶部１６０の所定の記憶領域に保存する（ステップＳ１１２）。その後、制御部１５０は、表示装置１００の動作状態を通常モードに設定する。
【００６０】
次に、表示装置１００における情報表示方法に適用される表示情報設定処理においては、ユーザが表示装置１００に設けられた操作部１２０を操作して、上述したユーザ目視方向設定処理により設定されたユーザ目視方向Ｄｕを向いている表示領域１１０ｐに表示させる情報の種類や内容を設定する処理を行う。具体的には、まず、ユーザは機器本体１０１に設けられたタッチパネルや押しボタン等の操作部１２０を操作して、表示装置１００の動作状態を、表示情報設定モードに設定する。
【００６１】
表示装置１００が表示情報設定モードに設定されると、制御部１５０は、表示パネル１６の表示可能領域に表示可能な情報のリストやアイコンを表示する。次いで、ユーザが所望する情報が表示されている表示領域の視野側に設けられたタッチパネルを、指先で直接タッチしたりタップしたりして選択することにより、制御部１５０は、当該情報を表示情報として設定（登録）する。その後、制御部１５０は、表示装置１００の動作状態を通常モードに設定する。ここで、ユーザが複数の情報の表示を所望する場合には、制御部１５０は、ユーザが任意に選択した複数の情報の表示位置や表示順序（具体的には、上述したユーザ目視方向を向いている表示領域１１０ｐを中心にして、表示パネル１６の延在方向の配置、及び、その配置順序）等の表示形態を、併せて設定（登録）するものであってもよい。このように、表示パネル１６の帯状の表示領域に１又は複数の情報を、任意の表示位置や表示順序で表示することにより、ユーザはより多くの情報を簡易に視認することが可能となる。また、この表示情報設定処理において、表示部１１０に表示可能な情報としては、例えば現在時刻や、ユーザの動作中や運動中に取得した生体情報や運動情報の他、現在位置における方位や天気予報、株価や交通情報、ニュース速報等の各種の情報を適用することができ、ユーザはこれらの情報の中から所望の情報を選択することができる。
【００６２】
なお、上述したユーザ目視方向設定処理や表示情報設定処理は、後述する情報表示処理に先立って初期設定動作として実行するものであってもよいし、情報表示処理により表示部１１０に所望の情報が表示されている期間中に、ユーザが任意のタイミングで実行するものであってもよい。また、上述したユーザ目視方向設定処理及び表示情報設定処理は、連続して実行するものであってもよいし、独立して個別に実行するものであってもよい。
【００６３】
次に、表示装置１００における情報表示方法に適用される情報表示処理においては、上述した表示情報設定処理において設定されたユーザが所望する情報を、表示パネル１６の帯状の表示領域のうち、ユーザ目視方向設定処理において設定されたユーザ目視方向Ｄｕを向いている表示領域１１０ｐに表示する処理を行う。具体的には、まず、図９に示すように、上述したユーザ目視方向設定処理と同様に、ユーザが表示装置１００を装着して通常モードで起動させる（ステップＳ１２２）。これにより、制御部１５０は、センサ部１３０をセンシング動作させて、所定のセンサデータを取得するとともに（ステップＳ１２４）、当該センサデータに基づいて、現在の重力方向に対する表示装置１００の傾き（又は向き）を検出する（ステップＳ１２６）。
【００６４】
次いで、制御部１５０は、検出された表示装置１００の傾きに基づいて、ユーザ目視方向Ｄｕを向いている表示領域１１０ｐを決定する（ステップＳ１２８）。具体的には、制御部１５０は、上述したユーザ目視方向設定処理（図８参照）と同様に、センサデータとして取得される３軸方向の加速度データに基づいて、現在の重力方向ベクトルＧを検出し、３次元座標系Ｓ１のＸ平面に投影されたＸ平面成分のベクトルＧｘを算出する。そして、制御部１５０は、算出されたＸ平面成分のベクトルＧｘを基準にして、上述したユーザ目視方向設定処理において予め算出されて記憶部１６０に保存された角度θを用いて、Ｘ平面上のユーザ目視方向Ｄｕを算出する。これにより、制御部１５０は、表示パネル１６の帯状の表示領域のうちの、ユーザが視認しやすい位置である、上記ユーザ目視方向を中心として所定の拡がりを有する表示領域（ユーザ目視方向を向いている表示領域）１１０ｐを決定して、当該表示領域１１０ｐに上述した表示情報設定処理において設定した所望の情報を所望の形態で常時表示する（ステップＳ１３０）。
【００６５】
そして、この情報表示状態において、制御部１５０は、ステップＳ１２４、Ｓ１２６において取得されたセンサデータに基づいて検出された表示装置１００の傾きや向きを監視する（ステップＳ１３２）。表示装置１００の傾きに変化があると判定した場合には、制御部１５０は、ステップＳ１２８に戻って、新たに検出された（すなわち、変化した）表示装置１００の傾きに基づいて、ユーザ目視方向Ｄｕを向いている表示領域１１０ｐを再度決定して、当該表示領域１１０ｐに所望の情報を表示する動作を繰り返し実行する。一方、表示装置１００の傾きに変化がない場合には、現在の表示領域１１０ｐに所望の情報を表示する動作を継続する。
【００６６】
なお、図９に示したフローチャートにおいては図示を省略したが、制御部１５０は、上述した情報表示処理の実行中に、処理動作を中断又は終了させる入力操作や、表示装置１００の動作状態の変化を常時監視して、当該入力操作や状態変化を検出した場合には、処理動作を強制的に終了する。具体的には、制御部１５０は、ユーザによる電源スイッチのオフ操作や、電源部１７０における電池残量の低下、処理実行中の機能やアプリケーションの異常等を検出して、一連の処理動作を強制的に中断して終了する。
【００６７】
すなわち、本実施形態において、表示装置１００に設定された３次元座標系Ｓ１のＸ平面は、図７に示したように、所定の曲率を有して湾曲して延在する機器本体１０１に沿って帯状に設けられた表示パネル１６の幅方向（短手方向）の中心線Ｌｃを通る平面である。そして、ユーザにより設定される視認しやすい位置の（すなわち、ユーザ目視方向Ｄｕを向いている）表示領域１１０ｐは、図８に示したように、センサデータに基づいて検出された重力方向ベクトルＧのＸ平面成分のベクトルＧｘを基準にして、Ｘ平面上の角度θにより規定される。このことから、通常モードで情報表示処理の実行中に、表示装置１００が傾いたり、表示装置１００の傾きや向きが変化したりした場合であっても、情報表示処理の実行中に検出された重力方向ベクトルＧのＸ平面成分のベクトルＧｘを基準にして、予めユーザ目視方向設定処理により算出されて記憶された角度θに基づいて、制御部１５０が、ユーザ目視方向Ｄｕが一定の方向に保持されるように表示領域１１０ｐの位置を調整する。
【００６８】
すなわち、例えば図１０（ａ）〜（ｃ）に示すように、通常モードで情報表示処理の実行中において、想定したユーザの眼の位置に対して、Ｘ平面における表示装置１００が傾いたり、或いは表示装置１００の傾きや向きが変化したりした場合、表示領域１１０ｐが、設定されたユーザ目視方向Ｄｕを常に向くように、情報表示処理の実行中の重力方向ベクトルＧのＸ平面成分のベクトルＧｘの方向及びユーザ目視方向設定モードにおけるユーザ目視方向設定処理により算出された角度θのみに応じて、制御部１５０が表示領域１１０ｐの位置を表示パネル１６の帯状の表示領域の長手方向に適宜移動するように調整する（図中、点線矢印参照）。これにより、表示領域１１０ｐがユーザの両眼の間の位置を常に向いているように所望の情報が表示される。
【００６９】
このように、本実施形態によれば、より多くの情報を表示することが可能な、帯状の湾曲した表示領域を有する表示部を備えた表示装置において、ユーザが当該表示装置を装着した状態で、表示装置の傾きや向きが変化した場合であっても、所望の情報がユーザ目視方向を向いている特定の表示領域に表示される。これにより、ユーザは視線を動かしたり、表示装置を装着した部位を回転させたり、首をかしげたりする動作を行うことなく、所望の情報を簡易かつ確実に視認することができる。また、本実施形態においては、ユーザが予め設定した所望の情報が、ユーザ目視方向を向いている表示領域に常時表示されているので、表示部の表示をオン操作する必要がなく、迅速かつ確実に所望の情報を視認することができる。
【００７０】
なお、本実施形態においては、表示部１１０に表示する情報として、所望の１又は複数の情報を選択して、それらの表示位置や表示順序を任意に設定することができることを説明した。このような場合には、ユーザ目視方向Ｄｕを向いている表示領域１１０ｐを中心にして、表示パネル１６の帯状の表示可能領域の延在方向に１又は複数の情報が順次隣接して配置されることになるため、情報量が多くなるにしたがって情報を表示している領域の面積も増大するため、ユーザから情報を表示している領域全体が見えにくくなる場合がある。そこで、本実施形態においては、タッチパネルを、ユーザが指先で直接タッチしたりタップしたり、あるいは、スワイプしたりするといった操作部１２０への操作を行うことによって、表示部１１０において、ユーザ目視方向Ｄｕを向いている表示領域１１０ｐの位置以外の領域に表示領域１１０ｐと同時に表示されている情報を、ユーザ目視方向Ｄｕを向いている表示領域１１０ｐが表示されていた位置に移動させて表示させることができる。したがって、予め設定した１又は複数の情報の中で、簡易な操作により表示パネル１６のユーザ目視方向Ｄｕを向いている表示領域１１０ｐが表示されていた位置に所望する情報を表示することによって所望の情報を確実に視認することができる。
【００７１】
また、本実施形態に係る表示部１１０に適用される表示パネル１６の特性としては、特に限定するものではないが、例えば視野角の狭い表示デバイスを適用するものであってもよい。これによれば、表示領域に表示される所望の情報を、ユーザ目視方向Ｄｕを中心とした比較的狭い範囲内からのみ正常に視認することができ、周囲からのぞき見しても正常な表示の視認を防止（阻害）することができるので、情報の秘匿性やプライバシーを有効に保護することができる。
【００７２】
また、本実施形態においては、表示装置１００を左右いずれか一方の手首に装着する場合について説明したが、表示装置１００を左右いずれの手首に装着するものであってもよい。この場合においても、上述したユーザ目視方向設定処理において重力方向ベクトルＧのＸ平面成分のベクトルＧｘを基準にして、ユーザ目視方向Ｄｕが角度θにより予め規定されているので、ユーザ目視方向Ｄｕを向いている表示領域１１０ｐに所望の情報を適切に表示することができる。また、表示装置１００を一方の手首に上下を逆にして装着した場合であっても同様に、重力方向ベクトルＧのＸ平面成分のベクトルＧｘを基準にして、ユーザ目視方向Ｄｕが規定されるので、所望の情報が上下逆転することがなく、ユーザから見て正位置に表示することができる。これにより、使い勝手の良い表示装置を提供することができる。
【００７３】
＜第２の実施形態＞
次に、本発明の第２の実施形態について説明する。
上述した第１の実施形態では、表示部１１０に設けられた帯状の湾曲した表示領域を有する表示パネル１６において、ユーザ目視方向Ｄｕを向いている表示領域１１０ｐに、ユーザが所望する情報を常時表示する場合について説明した。第２の実施形態においては、表示装置１００の装着状態やユーザによる表示部１１０の情報の視認状態を検出して、表示部１１０における表示のオン、オフを制御することを特徴としている。なお、以下に示す実施形態においては、表示装置１００の装着状態及びユーザによる情報の視認状態の双方を検出する場合について説明するが、これらのいずれか一方のみを検出して、表示部１１０における表示のオン、オフを制御するものであってもよい。
【００７４】
図１１は、第２の実施形態に係る表示装置における情報表示方法に適用される情報表示処理の一例を示すフローチャートである。ここで、第１の実施形態と同等の構成及び方法については、上述した記載を適宜参照してその説明を簡略化する。
【００７５】
本実施形態に係る表示装置１００に適用される情報表示処理においては、まず、図１１に示すように、ユーザが表示装置１００を通常モードで起動させる（ステップＳ２０２）。これにより、制御部１５０は、センサ部１３０をセンシング動作させて、所定のセンサデータを取得するとともに（ステップＳ２０４）、当該センサデータに基づいて、重力方向に対する表示装置１００の傾き（又は向き）を検出する（ステップＳ２０６）。
【００７６】
次いで、制御部１５０は、センサ部１３０により取得されたセンサデータに基づいて、表示装置１００がユーザに装着されているか否か、装着状態を判定する（ステップＳ２０８）。具体的には、ユーザが表示装置１００を装着した状態においては、表示装置１００を装着せずに机上等に置いた状態と比較すると、加速度データや角速度データ等のセンサデータや、検出された表示装置１００の傾きや向きの変化に差異が生じる。制御部１５０は、センサ部１３０により取得されたセンサデータ、又は、表示装置１００の傾きを常時又は定期的に監視する。そして、制御部１５０は、例えば所定の時間内に継続して変化が生じている場合には表示装置１００が装着されている（装着状態）と判定し、所定の時間内に継続して変化が生じていない場合には、装着されていない（非装着状態）と判定する。表示装置１００が非装着状態にあると判定された場合には、制御部１５０は、表示部１１０における表示動作をオフ状態に制御して（ステップＳ２１８）、表示装置１００が装着状態になるまで同様の判定処理を繰り返し実行する。
【００７７】
一方、表示装置１００が装着状態にあると判定された場合には、制御部１５０は、ユーザが表示部１１０に表示される情報を視認する状態にあるか否かを判定する（ステップＳ２１０）。具体的には、ユーザが表示部１１０に表示される情報を視認する場合には、例えば表示装置１００を装着した腕を、胸の高さ程度にまで持ち上げて静止する姿勢や動作を行う。このことから、制御部１５０は、センサ部１３０により取得されたセンサデータに基づいて検出される重力方向ベクトルＧや、表示装置１００の傾きを示すＸ平面成分のベクトルＧｘを監視する。
【００７８】
そして、制御部１５０は、例えばこれらのベクトルの方向の差分（角度差）が所定の範囲内にあって、かつ、この状態が所定の時間継続している場合には、ユーザが表示部１１０に表示された情報を視認している（視認状態）と判定する。あるいは、センサ部１３０により取得されたセンサデータを監視し、例えばセンサデータの変化の範囲（ブレ幅）が所定の範囲内にあって、かつ、この状態が所定の時間継続している場合にはユーザが表示部１１０の表示を視認している（視認状態）と判定する。これに対して、センサデータに基づいて検出される重力方向ベクトルＧや、Ｘ平面成分のベクトルＧｘの方向が所定の方向範囲内にない場合や、センサデータの変化の範囲（ブレ幅）が所定の範囲内にない場合には、制御部１５０は、ユーザが表示部１１０の情報を視認していない（非視認状態）と判定する。そして、ユーザが非視認状態にあると判定された場合には、制御部１５０は、表示部１１０における表示動作をオフ状態に制御して（ステップＳ２２０）、ユーザが視認状態になるまで同様の判定処理を繰り返し実行する。
【００７９】
一方、ユーザが視認状態にあると判定された場合には、制御部１５０は、センサデータに基づいて検出された現在の重力方向ベクトルＧのＸ平面成分のベクトルＧｘを基準にして、上述したユーザ目視方向設定処理において予め算出された角度θを用いて、ユーザ目視方向Ｄｕを算出し、表示パネル１６の帯状の表示領域のうちの、ユーザ目視方向Ｄｕを向いている表示領域１１０ｐを決定する（ステップＳ２１２）。そして、制御部１５０は、表示部１１０における表示動作をオン状態に制御して、表示領域１１０ｐに上述した表示情報設定処理において設定した所望の情報を所望の形態で表示する（ステップＳ２１４）。
【００８０】
この情報表示状態において、制御部１５０は、ステップＳ２０４、Ｓ２０６において取得されたセンサデータに基づく表示装置１００の傾きや向きを監視する（ステップＳ２１６）。表示装置１００の傾きに変化があると判定した場合には、制御部１５０は、ステップＳ２０８に戻って、新たに取得されたセンサデータや表示装置１００の傾きに基づいて、表示装置１００がユーザに装着されているか否か、さらに、ユーザが表示部１１０の情報を視認しているか否かを判定して、表示部１１０における表示のオン、オフを制御する動作を繰り返し実行する。一方、表示装置１００の傾きに変化がない場合には、現在の表示領域１１０ｐに所望の情報を表示する動作を継続する。
【００８１】
なお、図１１に示したフローチャートにおいては図示を省略したが、上述した第１の実施形態と同様に、制御部１５０は、上述した情報表示処理の実行中に、処理動作を中断又は終了させる入力操作や、表示装置１００の動作状態の変化を常時監視して、当該入力操作や状態変化を検出した場合には、処理動作を強制的に終了する。
【００８２】
このように、本実施形態においては、表示装置１００の装着状態やユーザによる表示部１１０の情報の視認状態を検出して、ユーザが表示装置１００を装着し、かつ、ユーザが表示部１１０の情報を視認している場合にのみ、表示部１１０における表示をオン状態に制御する。一方、ユーザが表示装置１００を装着していない場合や、ユーザが表示部１１０の情報を視認していない場合には、表示部１１０における表示をオフ状態に制御する。これにより、本実施形態においては、上述した第１の実施形態に示した作用効果に加え、情報表示において消費される電力を大幅に削減することができ、充電や電池交換なしに表示装置１００を長期にわたって使用することが可能となる。
【００８３】
なお、本実施形態においては、表示部１１０における情報の表示をオン、オフ制御する手法として、センサ部１３０により取得されるセンサデータに基づいて、表示装置１００が装着状態にあって、かつ、ユーザが視認状態にあるときの表示装置１００の特有の動きを検出する方法を説明したが、本発明はこれに限定されるものではない。すなわち、本発明は、表示装置１００が装着されていない状態（非装着状態）や、ユーザが表示部１１０の情報を視認していない状態（非視認状態）において、表示部１１０の表示をオフして消費電力を削減することができるものであればよい。したがって、本発明は、例えばユーザが表示装置１００を装着した状態で、腕を複数回回転させたり、素早く振ったりする等の、特定の動作（ジェスチャー）を行った場合のみ、表示部１１０の表示をオンし、その他の期間は表示をオフするように制御するものであってもよい。この場合のユーザによる特定の動作は、例えばセンサ部１３０に設けられた加速度センサや角速度センサ等により検出されたセンサデータに基づいて判定することができる。なお、このようなユーザの特定の動作により表示装置１００を制御する方法は、上記の表示のオン、オフ制御に限定されるものではなく、様々な特定の動作を登録することにより、例えば上述した動作モードの設定変更や、表示情報設定処理におけるメニュー画面の表示等の、各種の制御に適用することができる。
【００８４】
なお、上述した各実施形態においては、表示装置１００の傾きを検出するためのセンサデータとして、加速度センサにより取得される３軸方向の加速度データを適用する場合について説明したが、本発明はこれに限定されるものではない。すなわち、本発明においては、表示装置１００の傾きを検出することができるものであればよく、例えば角速度センサや重力センサ、地磁気センサ等の他のセンサにより検出されるセンサデータを適用するものであってもよい。ここで、本発明を、各種のモーションセンサを備えたウェアラブル端末に適用する場合には、上記の表示装置１００の傾きを検出するセンサとして、既存のモーションセンサを用いるものであってもよい。
【００８５】
また、上述した各実施形態においては、ユーザ目視方向を設定する手法として、表示パネル１６の表示領域の視野側に設けられたタッチパネルを、ユーザが直接タッチしたりタップしたりする場合について説明したが、本発明はこれに限定されるものではない。すなわち、本発明においては、ユーザ目視方向を設定することができるものであればよく、例えば表示パネル１６の帯状の表示領域の周囲に設けられたタッチセンサや押しボタン等の操作部１２０を操作することによりユーザ目視方向を向いている表示領域１１０ｐを設定するものであってもよい。また、本発明は、ユーザが直接視認方向を設定する手法に限定されるものではなく、表示装置１００にカメラを備え、当該カメラを用いてユーザの両眼の位置と、表示装置１００の相対的な位置と、を認識することにより、ユーザ目視方向を規定するものであってもよい。
【００８６】
また、上述した各実施形態においては、表示装置１００を人体の手首に装着する場合について説明したが、本発明はこれに限定されるものではない。すなわち、本発明は、手首や腕に装着する場合のほか、ユーザが視認可能な位置であって、所定の曲率を有する部位（人体の部位であってもよいし、人体でなくてもよい）に良好に装着して使用することができる。また、本発明は、人体の部位の形状に応じて機器本体１０１や表示パネル１６が、側面側（図１（ｃ）参照）から見て、連続的に曲率が変化する湾曲形状を有する構造に限定されるものではなく、例えば複数の平面状の表示パネルが、側面側（矢印Ｄ２方向）から見て、多角形状を有するものであってもよい。
【００８７】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００８８】
（付記）
［１］
表示装置において、
第１の方向に延在する表示可能領域を有する表示部と、
前記表示装置の傾斜状態に応じて、前記表示可能領域内に情報を表示する表示領域の位置を調整し、調整された位置で前記表示領域が前記情報を表示することを制御する表示制御部と、
を備えることを特徴とする表示装置。
【００８９】
［２］
ユーザ目視方向設定モードにおける、前記表示可能領域内に情報を表示する表示領域の位置及び前記表示装置の傾斜状態から、前記表示領域をユーザが目視している方向としてのユーザ目視方向を規定するパラメータを算出するパラメータ算出部と、
をさらに備え、
前記表示制御部は、通常モードにおける前記表示装置の傾き状態及び前記パラメータ算出部によって算出されたパラメータに基づいて、前記表示領域設定部において設定された前記表示領域の位置を調整して、調整された位置で前記表示領域が前記情報を表示することを制御することを特徴とする［１］記載の表示装置。
【００９０】
［３］
前記表示制御部は、前記情報を前記表示領域に表示するとともに、前記表示領域とは異なる位置の前記表示可能領域内の領域に前記情報とは異なる他の情報を表示し、ユーザの指示に従って前記他の情報を、前記異なる領域から前記表示領域の位置に移動させて表示することを特徴とする［１］又は［２］に記載の表示装置。
【００９１】
［４］
少なくとも重力方向を検出するセンサ部をさらに備え、
前記センサ部は、前記ユーザの動作状態を検出するモーションセンサを有し、
前記表示制御部は、前記モーションセンサにより検出された前記ユーザの動作状態に基づいて、前記表示領域への前記情報の表示、非表示を制御することを特徴とする［１］乃至［３］のいずれかに記載の表示装置。
【００９２】
［５］
前記パラメータ算出部は、前記表示可能領域の前記第１の方向に直交する第２の方向の中心を通る特定の平面に、前記重力方向のベクトルを投影して得られる投影成分のベクトルを基準にして、前記特定の平面上の前記ユーザ目視方向を規定する前記パラメータを算出することを特徴とする［２］乃至［４］のいずれかに記載の表示装置。
【００９３】
［６］
第１の方向に延在する表示可能領域を有する表示部を備えた表示装置の傾斜状態に応じて、前記表示可能領域内に情報を表示する表示領域の位置を調整し、調整された位置で前記表示領域が前記情報を表示することを制御することを特徴とする情報表示方法。
【００９４】
［７］
第１の方向に延在する表示可能領域を有する表示部を備えた表示装置の傾斜状態に応じて、前記表示可能領域内に情報を表示する表示領域の位置を調整し、調整された位置で前記表示領域が前記情報を表示することを制御することをコンピュータに実行させることを特徴とする情報表示プログラム。
【符号の説明】
【００９５】
１１        本体ケース
１１ｓ      収納空間
１２        フレーム
１３        電池
１４        回路基板
１５        外装カバー
１６        表示パネル
１００      表示装置
１０１      機器本体
１０１ｓ    装着空間
１０２      開閉部
１０３      回動部
１１０      表示部
１１０ｐ    表示領域
１２０      操作部
１３０      センサ部
１４０      通信部
１５０      制御部
１６０      記憶部
１７０      電源部
ＵＳｈ      手首
Ｇ          重力方向ベクトル
Ｇｘ        Ｘ平面成分のベクトル
Ｄｕ        視線方向
【図１】
2016142888.tif 000003
【図２】
2016142888.tif 000004
【図３】
2016142888.tif 000005
【図４】
2016142888.tif 000006
【図５】
2016142888.tif 000007
【図６】
2016142888.tif 000008
【図７】
2016142888.tif 000009
【図８】
2016142888.tif 000010
【図９】
2016142888.tif 000011
【図１０】
2016142888.tif 000012
【図１１】
2016142888.tif 000013